(57)【特許請求の範囲】
【請求項１】
作動流体組成物であって、
少なくとも１つの作動媒体（ａ）と、
潤滑剤（ｂ）と、
少なくとも１つの乳化剤（ｃ）と
を含み、
前記少なくとも１つの作動媒体（ａ）は、
少なくとも１つのＣ１〜Ｃ４アルコール（ａ．１．１）、又は
少なくとも１つのＣ３〜Ｃ４ケトン（ａ．１．２）、又は
（ａ．１．１）及び（ａ．１．２）の混合物と、
水（ａ．２）と
からなり、
前記Ｃ１〜Ｃ４アルコール（ａ．１．１）において、Ｃ１〜Ｃ４はそれぞれ、１つ〜４つの炭素原子を有する炭化水素基であり、
前記少なくとも１つの作動媒体（ａ）における前記水（ａ．２）の量は、任意で最大７５重量％、好ましくは最大５０重量％であり、
前記潤滑剤（ｂ）は、炭化水素からなり、４０℃で４０ｍｍ２／ｓ〜７００ｍｍ２／ｓの、ＤＩＮ  ＥＮ  ＩＳＯ  ３１０４に準拠して測定された動粘度を有し、
前記作動流体組成物における前記潤滑剤（ｂ）の量は、１重量％〜４０重量％であり、
前記少なくとも１つの乳化剤（ｃ）の割合は、前記潤滑剤（ｂ）１００重量部に対して０．０１重量部〜５重量部である、作動流体組成物。
【請求項２】
請求項１に記載の作動流体組成物であって、
前記作動流体組成物における前記作動媒体（ａ）の量は、９９重量％〜６０重量％、好ましくは９５重量％〜７５重量％、最も好ましくは９０重量％〜８０重量％である、作動流体組成物。
【請求項３】
請求項１又は２に記載の作動流体組成物であって、
前記潤滑剤（ｂ）は、４０℃で１００ｍｍ２／ｓ〜４００ｍｍ２／ｓ、好ましくは４０℃で１５０ｍｍ２／ｓ〜３００ｍｍ２／ｓの、ＤＩＮ  ＥＮ  ＩＳＯ  ３１０４に準拠して測定された動粘度を有する、作動流体組成物。
【請求項４】
請求項１から３のいずれか１項に記載の作動流体組成物において、
前記潤滑剤（ｂ）は、３００℃を上回る、ＤＩＮ  ５１４３５に準拠してガスクロマトグラフにより測定された沸点を有する、作動流体組成物。
【請求項５】
請求項１から４のいずれか１項に記載の作動流体組成物において、
前記潤滑剤（ｂ）は、アルキレート、アルキル化されたナフタレン、鉱物油、ポリアルファオレフィン（ＰＡＯ）、又はこれらの混合物である、作動流体組成物。
【請求項６】
請求項１から５のいずれか１項に記載の作動流体組成物において、
前記潤滑剤（ｂ）は、ポリアルファオレフィン（ＰＡＯ）、好ましくは低動粘度の複数のＰＡＯと高動粘度の複数のＰＡＯとの組み合わせであり、
前記低動粘度の複数のＰＡＯは、１００℃で４ｍｍ２／ｓ〜１０ｍｍ２／ｓの、ＤＩＮ  ＥＮ  ＩＳＯ  ３１０４に準拠して測定された動粘度をそれぞれ有し、
前記高動粘度の複数のＰＡＯは、１００℃で４０ｍｍ２／ｓ〜１００ｍｍ２／ｓの、ＤＩＮ  ＥＮ  ＩＳＯ  ３１０４に準拠して測定された動粘度をそれぞれ有する、作動流体組成物。
【請求項７】
請求項１から６のいずれか１項に記載の作動流体組成物において、
前記作動流体組成物における前記潤滑剤（ｂ）の量は、５重量％〜２５重量％、好ましくは１０重量％〜２０重量％である、作動流体組成物。
【請求項８】
請求項１から７のいずれか１項に記載の作動流体組成物において、
前記潤滑剤（ｂ）は、前記作動媒体（ａ）中に、２５℃で５重量％未満、好ましくは２重量％未満で溶解する、作動流体組成物。
【請求項９】
請求項１に記載の作動流体組成物において、
前記乳化剤（ｃ）は、以下の群、すなわち、
・５００ｇ／ｍｏｌ〜１００００ｇ／ｍｏｌ、特に好ましくは５００ｇ／ｍｏｌ〜２５００ｇ／ｍｏｌの分子量（数平均）を好ましくは有する１つ又は複数のアルケニルスクシンイミド、
・５００ｇ／ｍｏｌ〜１００００ｇ／ｍｏｌ、特に好ましくは５００ｇ／ｍｏｌ〜２５００ｇ／ｍｏｌの分子量（数平均）を好ましくは有する１つ又は複数のアルケニルスクシンアミド、
・２〜１０個、好ましくは４〜８個のアルコキシレート単位、特に好ましくは酸化エチレン単位及び／又は酸化プロピレン単位を有する、１つ又は複数のＣ８〜Ｃ２４、好ましくはＣ１０〜Ｃ１８脂肪アルコールエーテルカルボン酸、及びその塩、好ましくはアンモニウム塩、
・２〜１０個、好ましくは４〜８個のアルコキシレート単位、特に好ましくは酸化エチレン単位及び／又は酸化プロピレン単位を有する、１つ又は複数のＣ１０〜Ｃ２４、好ましくはＣ８〜Ｃ２４、特に好ましくはＣ１０〜Ｃ１８脂肪アルコール、
・２〜１０個、特に４〜８個のアルコキシレート単位、特に好ましくは酸化エチレン単位及び／又は酸化プロプレン単位を有する、１つ又は複数のアルコキシ化されたアルキルフェノール、特にＣ６〜Ｃ１８アルキル、及び
・これらの混合物
から選択される、作動流体組成物。
【請求項１０】
請求項１又は９に記載の作動流体組成物であって、
前記作動流体組成物における前記乳化剤（ｃ）の量は、０．０００１重量％〜２重量％である、作動流体組成物。
【請求項１１】
請求項１に記載の作動流体組成物において、
前記作動流体組成物は、任意の成分（ｄ）として、摩耗保護剤、ＥＰ添加物、酸化防止剤、非鉄金属阻害剤、消泡剤、又はこれらの混合物をさらに含む、作動流体組成物。
【請求項１２】
請求項１１に記載の作動流体組成物であって、
前記作動流体組成物における前記任意の成分（ｄ）の量は、それぞれ０．０００５重量％〜２重量％であり、一方
前記任意の成分（ｄ）の割合は、前記潤滑剤（ｂ）１００重量部に対して累計で０．０１重量部を上回り、好ましくは０．１重量部〜５重量部と規定される、作動流体組成物。
【請求項１３】
請求項１から１２のいずれか１項に記載の作動流体組成物であって、
前記作動媒体（ａ）における前記水（ａ．２）の量は、５重量％〜７５重量％、特に１０〜５０重量％である、作動流体組成物。
【請求項１４】
少なくとも１つの蒸発器と、膨張機械と、凝集器と、循環ポンプと、請求項１から１３のいずれか１項に記載の作動流体組成物とを含む、蒸気循環プロセス用装置。
【請求項１５】
請求項１４に記載の装置であって、
前記蒸気循環プロセスは、内燃エンジンを有する自動車の一部であり、
熱交換器は、エンジンの排熱を利用し、好ましくは、内燃エンジンの排ガス系に連結され、前記熱交換器は、蒸発器として機能する、装置。
【請求項１６】
請求項１４又は１５に記載の装置であって、
前記膨張機械から得られる機械的な動力は、自動車の駆動系と連結されるか、又は、電気エネルギーを生成するために、生成器を駆動する、装置。
【発明の詳細な説明】
【技術分野】
【０００１】
本発明は、作動媒体、潤滑剤、及び好ましくは乳化剤を含む、蒸気循環プロセス用の作動流体に関する。作動媒体は、必要に応じて水と混合されたＣ１〜Ｃ４アルコール及び／又はＣ３〜Ｃ５ケトンであり、本発明は作動流体を含む蒸気循環プロセス用の装置、及び有機ランキンサイクルにおける作動流体の使用に関する。潤滑剤は炭化水素であり、乳化剤は表面活性剤である。
【背景技術】
【０００２】
「ＯＲＣ」と短縮される有機ランキンサイクルは、作動媒体として水蒸気ではなく有機流体が使用される蒸気循環プロセスである。従来の蒸気循環プロセスとの相違は、このプロセスが水の蒸気圧から生じるような圧力及び温度と関連していないことである。水よりも低い沸点を有する有機流体の使用により、圧力及び温度を水蒸気発電設備において使用されているような値よりも低く設定することができる。本方法は、特に、蒸発用の熱源と凝集用のヒートシンクとの間の利用可能な温度勾配が低い方がよい場合、又は、全体的に低い作動温度が望まれる場合に使用される。
【０００３】
蒸気循環プロセスは、少なくとも１つの蒸発器、膨張機、凝集器、及び循環ポンプを備える。一構成によると、膨張機は、スクロール圧縮機、往復圧縮機、ラジアルピストン機械、又はタービンなどの反転運転される圧縮機である。機械的エネルギーは、外部から熱を供給することにより蒸発器において作動媒体が加熱され蒸発されることにより得られる。蒸気の膨張により、膨張機が運転され、機械的エネルギーが生成される。続いて、作動媒体は、凝集器において冷却され、液化され、循環ポンプにより蒸発器へフィードバックされる。これにより、循環路が閉じられる。機械的なエネルギーは、例えば、生成器によって電気的なエネルギーへ変換されるか、又は駆動系へ直接機械的に供給される。
【０００４】
作動媒体は、閉じられた循環路においてガイドされる。循環路は、可動部品を備え、潤滑が必要である。したがって、作動媒体と潤滑剤とを含む作動流体が使用される。作動媒体と潤滑剤とを含む作動流体を蒸気循環プロセスにおいて使用することが知られている。
【０００５】
米国特許第３６０３０８７号明細書によると、作動媒体として例えば水がグリコール、ポリプロピレングリコール、エーテル、又はポリグリコールエーテルなどの有機潤滑剤と共に使用され、この場合、潤滑剤は作動媒体において完全に溶解可能である。作動媒体における潤滑剤の溶解性は、作動媒体の粘度上昇を引き起こす。
【０００６】
独国特許出願公開第１０２００８００５０３６Ａ１号明細書に、内燃エンジンの一部としてＯＲＣプロセスを用いることにより熱回収によって排熱利用する装置が記載されている。作動媒体としてメタノール及び／又はエタノールを有する水溶液が提案される。
【０００７】
独国特許出願公開第２２１５８６８Ａ号明細書から、クラウジウスランキンプロセスに従って運転される発電設備を運転する方法が知られており、この方法では、作動媒体として、トリフルオロエタノール及び水及び潤滑剤が使用される。潤滑剤は、作動媒体と不混和の炭化水素であることが好ましい。
【０００８】
独国特許出願公開第１０２００６０５２９０６Ａ１号明細書から、蒸発器において１７０℃よりも高い温度でも運転され得る蒸気循環プロセスが知られている。使用される作動媒体はＣ１〜Ｃ４アルコールを含む。作動媒体には潤滑剤が混合されていてもよく、この潤滑剤は、蒸発されて膨張機においてまず最初に凝集するように、蒸気発生温度を上回る凝集温度を適切に有している。
【発明の概要】
【発明が解決しようとする課題】
【０００９】
閉鎖された循環路により、潤滑剤は耐老化性に関する高い要求を満たす必要がある。したがって、本発明の目的は、作動媒体と潤滑剤との特に適切な組み合わせを有する作動流体を提供することであり、潤滑剤は熱安定性があるほうがよく、膨張機の十分な潤滑を保証するために、循環路の作動媒体とほぼ不混和である。
【課題を解決するための手段】
【００１０】
前記従来技術に基づき、本発明の目的は、熱安定性があり、長寿命であり、内燃エンジンの排熱を利用する有機ランキンサイクルの運転に適した、作動媒体と潤滑剤とからなる作動流体の組成物を提供することである。ＯＲＣが内燃エンジンと共に使用される場合、排ガス流からの高温は、作動媒体−潤滑剤混合物の熱安定性に対して高い要求を突きつける。ＯＲＣは、内燃エンジンを有する自動車の排ガス系における熱交換器などの熱により高負荷のかかる装置において長寿命で使用可能であるほうがよい。
【００１１】
膨張機械の運転のためには、作動媒体と共にＯＲＣ循環路を介して均等に搬送され、十分に高い熱的及び化学的な安定性を有する潤滑剤が必要である。
【００１２】
上記目的は、独立請求項１の特徴を有する組成物により達成される。好ましい実施形態は、従属請求項の主題であるか、又は、以下で説明される。
【００１３】
この組成物は、作動媒体（ａ）と、潤滑剤（ｂ）とを含み、任意に乳化剤（ｃ）とその他の任意の成分（ｄ）とを含む蒸気循環プロセス用作動流体である。前記その他の任意の成分は、（ａ）、（ｂ）、又は（ｃ）に該当せず、同時に作動媒体又は作動媒体の一部であるか、又はあり得るかに係わらず、作動流体に分類される。
【００１４】
作動流体は、作動流体に関して、以下で説明する割合で、作動媒体（ａ）、潤滑剤（ｂ）、１つ又は複数の任意の乳化剤（ｃ）、及び１つ又は複数の任意の成分（ｄ）のみからなること、すなわち、（ａ）、（ｂ）、（ｃ）及び（ｄ）の割合が合計して１００重量％になることが好ましい。
【００１５】
作動媒体（ａ）は、作動媒体の全組成に関して、
少なくとも１つのＣ１〜Ｃ４アルコール（ａ．１）、又は、
少なくとも１つのＣ３〜Ｃ４ケトン（ａ．２）、又は、（ａ．１）及び（ａ．２）の混合物と、
任意で最大７５重量％の水、好ましくは５０重量％の水（ａ．３）とからなる。
【００１６】
作動媒体における成分（ａ．１）〜（ａ．３）の割合は、重量％単位の水（ａ．３）の例では、以下のように、すなわち、＝（ａ．３）／（（ａ．１）＋（ａ．２）＋（ａ．３））＊１００）のように計算される。この計算においては、成分（ａ．１）、（ａ．２）及び（ａ．３）のみが最終的に入力される。
【００１７】
作動流体における作動媒体（ａ）の割合は、好ましくは９９重量％〜６０重量％、より好ましくは９５重量％〜７５重量％、特に好ましくは９０重量％〜８０重量％である。
【００１８】
本発明の一構成によると、作動媒体に水は含まれず、他の構成によると、例えば、５重量％〜７５重量％の水、特に、１０重量％〜５０重量％の水が作動媒体に含まれる。したがって、作動媒体は、それ以外では、成分（ａ．１）のみ、成分（ａ．２）のみ、又は成分（ａ．１）と成分（ａ．２）との混合物のみからなる。
【００１９】
Ｃ１〜Ｃ４アルコールにおいてＣ１〜Ｃ４はそれぞれ、１〜４つの炭素原子を有する炭化水素基、特に、アルキル基、例えば、特にメタノール、エタノール、プロパノール又はブタノール及びその位置異性体又はその混合物などを表す。Ｃ３〜Ｃ４ケトンにおいて、Ｃ３及びＣ４はそれぞれ、３又は４つの炭素原子を有する炭化水素基、例えば、アセトン又はメチルエチルケトン又はその混合物などを表す。
【００２０】
潤滑剤（ｂ）は、炭化水素からなり、４０℃で４０ｍｍ２／ｓ〜７００ｍｍ２／ｓ、好ましくは４０℃で１００ｍｍ２／ｓ〜４００ｍｍ２／ｓ、特に好ましくは４０℃で１５０ｍｍ２／ｓ〜３００ｍｍ２／ｓの（ＤＩＮ  ＥＮ  ＩＳＯ  ３１０４に準拠して測定された）粘度（動粘性）を有する。
【００２１】
潤滑剤の（ＤＩＮ  ５１４３５に準拠してガスクロマトグラフにより測定された）沸点は、潜在的な炭化水素混合物に関しても、好ましくは３００℃を上回る。
【００２２】
適切な潤滑剤は、例えば、アルキレート、アルキル化ナフタレン、鉱物油、又はポリアルファオレフィン（ＰＡＯ）である。
【００２３】
特に好ましいのは、ＰＡＯ及びその混合物、例えば、（ＤＩＮ  ＥＮ  ＩＳＯ  ３１０４に準拠して測定された１００°Ｃでそれぞれ約４ｍｍ２／ｓ、６ｍｍ２／ｓ、８ｍｍ２／ｓ及び１０ｍｍ２／ｓを有する）ＰＡＯ４、ＰＡＯ６、ＰＡＯ８、又はＰＡＯ１０などの低粘度ＰＡＯと、（ＤＩＮ  ＥＮ  ＩＳＯ  ３１０４に準拠して測定された１００°Ｃでそれぞれ約４０ｍｍ２／ｓ又は１００ｍｍ２／ｓを有する）ＰＡＯ４０、ｍＰＡＯ４０、ＰＡＯ１００、ｍＰＡＯ１００などの高粘度ＰＡＯとの組み合わせ、又は、ＤＩＮ  ＥＮ  ＩＳＯ  ３１０４に準拠して測定された１００°Ｃで約２０ｍｍ２／ｓと２００ｍｍ２／ｓとの間の粘度範囲におけるその他の利用可能なＰＡＯ品質であり、ｍは、メタロセン触媒により重合された複数のＰＡＯを表す。特に好ましいのは、２〜１２のＣ８〜Ｃ２０アルファオレフィン単位の重合体からなる、特に、メタロセン触媒により重合された複数のＰＡＯの混合物である。
【００２４】
作動流体における潤滑剤（ｂ）の割合は、好ましくは１重量％〜４０重量％、より好ましくは５重量％〜２５重量％、特に好ましくは１０重量％〜２０重量％である。
【００２５】
潤滑剤は、作動媒体に対して不溶性である。「不溶性」とは、ここでは、２５°Ｃで５重量％未満、好ましくは２重量％未満の割合を意味する。その結果、潤滑剤の顕著な希釈は生じず、したがって、溶解による粘度の低下はわずかである。
【００２６】
エステル系溶剤などの潤滑剤は、その熱不安定性すなわち反応性のため、また、アルコールにより本プロセスにおいて生じる温度ではエステルとアルコールとの間で反応が起こるため、適していない。
【００２７】
任意に使用される乳化剤（ｃ）は、特に、以下の群の要素から選択される。
【００２８】
・好ましくは５００ｇ／ｍｏｌ〜１００００ｇ／ｍｏｌ、特に好ましくは５００ｇ／ｍｏｌ〜２５００ｇ／ｍｏｌの分子量（数平均）を有するアルケニルスクシンイミド、
・好ましくは５００ｇ／ｍｏｌ〜１００００ｇ／ｍｏｌ、特に好ましくは５００ｇ／ｍｏｌ〜２５００ｇ／ｍｏｌの分子量（数平均）を有するアルケニルスクシンアミド、
・２〜１０個、特に好ましくは４〜８個のアルコキシレート単位、特に好ましくは酸化エチレン単位及び／又は酸化プロピレン単位（好ましくは酸化エチレンのみ）を有するＣ８〜Ｃ２４、好ましくはＣ１０〜Ｃ１８脂肪アルコールカルボン酸エーテル及びその塩、（例えば、Ｃ１〜Ｃ４アルカノール基を有する）アルカノールアンモニウム塩を含む、特にアンモニウム塩、
・２〜１０個、特に４〜８個のアルコキシレート単位、特に好ましくは、酸化エチレン単位及び／又は酸化プロピレン単位（好ましくは酸化エチレンのみ）を有するアルコキシル化されたＣ１０〜Ｃ２４、好ましくはＣ８〜Ｃ２４、特に好ましくはＣ１０〜Ｃ１８脂肪アルコール、
・２〜１０個、特に４〜８個のアルコキシレート単位、特に好ましくは酸化エチレン単位及び／又は酸化プロピレン単位（好ましくは酸化エチレンのみ）それぞれ有するアルコキシル化されたアルキルフェノール、特にアルコキシル化されたＣ６〜Ｃ８アルキルフェノール、特に好ましくはＣ８〜Ｃ１２アルキルフェノール、例えば、オクチルエトキシレート又はノニルフェノールエトキシレート（４〜８ＥＯ）、及び
・その混合物
乳化剤は、作動流体の製造時に好ましくは潤滑剤と共に、例えば、潤滑剤と均質化して添加される。
【００２９】
アルコールを作動媒体の構成要素として、又は作動媒体として使用する場合、乳化剤としては、前記アルケニルスクシンイミド及びアルケニルスクシンアミド、好ましくはポリイソブテニルスクシンイミド、及び前記アルコキシル化された脂肪アルコールが好ましい。
【００３０】
乳化剤の割合は、潤滑剤に対して０．０１重量％〜５重量％である。乳化剤の割合は、作動流体に対しては合計で好ましくは０．０００１重量％〜２重量％を上回る。両条件は累計的に当てはまることが好ましい。
【００３１】
任意の成分（ｄ）の割合は、それぞれ作動流体に対しては好ましくは０．０００１重量％を上回り、特に好ましくは０．０００５重量％〜２重量％であり、それとは独立して、潤滑剤に対しては累計で好ましくは０．０１重量％を上回り、特に好ましくは０．１重量％〜５重量％である。
【００３２】
適切な任意の成分は、例えば、摩耗保護材、ＥＰ添加物、酸化防止剤、非鉄金属阻害剤、及び、消泡剤である。
【００３３】
以下では簡単にＡＷ／ＥＰ添加剤と呼ばれる摩耗保護材（耐摩耗）及びＥＰ添加剤（極圧）としては、リン、又は、硫黄、及び、リン、又は硫黄を含む複合物が適している。適しているのは、例えば、ｔ−ブチル基及び／又はイソブチル基により少なくとも１つのアリール環において一置換、二置換、又は三置換された、リン酸トリクレジル、亜リン酸トリ（ノニルフェニル）、亜リン酸水素ジオレイル、亜リン酸２−エチルヘキシルジフェニル、リン酸ジ／トリアリール、及び、ジチオホスホリル酸エステルの物質クラスの代表である。リン含有、及びリン硫黄含有の高圧添加剤の他に、純粋な硫黄含有ＡＷ／ＥＰ添加剤をさらに使用可能である。
【００３４】
ＡＷ／ＥＰ添加物は、個々に、又は組み合わせて使用することができる。ＡＷ／ＥＰ添加物の割合は、それぞれ作動流体に対しては好ましくは０．０００１重量％を上回り、特に好ましくは０．００５重量％〜２重量％であり、それとは独立して、潤滑剤に対しては累計で好ましくは０．０１を上回り、特に好ましくは０．１重量％〜５重量％である。
【００３５】
酸化防止剤として、例えば、使用可能であるのは、２，６−ジ−テルト−ブチル−４−メチルフェノール、２，６−ジ−テルト−ブチル−４−エチルフェノール、２，２’−メチレンビス（４−メチル−６−テルト−ブチルフェノール）などのフェノール性酸化防止剤、並びに、フェニル−アルファ−ナフチルアミン、Ｎ，Ｎ’−ジフェニル−ｐ−フェニレンジアミン、及びアルキル化ジフェニルアミン（アルキル＝Ｃ４−Ｃ９）などのアミンタイプの酸化防止剤である。特に好ましいのはフェノール性酸化防止剤である。
【００３６】
酸化防止剤の割合は、それぞれ作動流体に対しては好ましくは０．０００１重量％以上であり、特に好ましくは０．０００１重量％〜０．４重量％であり、それとは独立して、潤滑剤に対しては累計で好ましくは０．０１重量％を上回り、特に好ましくは０．０１重量％〜１重量％である。
【００３７】
非金属防止剤としては、好ましくは、チアジアゾール、ベンゾトリアゾール、及びトリルトリアゾール及びその派生物から、トリアゾールを使用できる。非金属防止剤の割合は、それぞれ作動流体に関し合計で好ましくは０．０００１重量％〜０．０２重量％であり、それとは独立して、潤滑剤に対しては累計で好ましくは０．０１重量％〜０．５重量％である。
【００３８】
さらに、作動流体は、さらなる成分（ｄ）として、消泡剤も含んでいてもよい。上記タイプの具体的な添加剤として、好ましくは、シロキサン、ポリエチレングリコール、及び、ポリメタクリラートが挙げられる。
【００３９】
一構成によると、作動流体は、成分（ａ）〜（ｄ）のみで構成され、成分（ｃ）及び（ｄ）は、互いに独立して任意である。
【００４０】
本発明の蒸気循環プロセスにおいて、水よりも低い沸点を有する、蒸発可能な少なくとも１つの有機流体が使用される。循環プロセスは、少なくとも１つの蒸発器、膨張機、凝集器、及び循環ポンプを備える。膨張機は、スクロール圧縮機、往復圧縮機、ラジアルピストン機械、又はタービンなどの反転運転される圧縮機であることが好ましい。このシステムすなわち循環プロセスは、外部から密閉されている。好ましくは、蒸気循環プロセスは、内燃エンジンを有する自動車、特に、貨物自動車の一部であり、熱交換器は、エンジンの排熱を利用し、例えば、内燃エンジンの排ガス系に連結されている。
【００４１】
熱交換器において排ガス流から産出されるエネルギーによって、作動媒体が蒸発される。熱交換器は、ここでは、蒸発器として機能する。膨張機から得られる機械的な動力は、自動車の駆動系と連結されるか、又は、電気エネルギーを生成するために、生成器を駆動する。
【発明を実施するための形態】
【００４２】
実験的部分
乳化試験
乳化剤の作用を調査するため、ＰＡＯ８、ＰＡＯ４０、及びそれぞれの乳化剤からなる４０℃で１５０ｍｍ２／ｓの粘度の潤滑剤混合物を製造した。これらの潤滑剤混合物のそれぞれ２０ｇを、２０ｇの作動媒体と共にネジキャップを有する５０ｍｌの試験管に充填し、閉じて、２０℃で約１分間手動で振った。続いて、試験管を振盪機で２２００Ｈｚの周波数で１分さらに振った。
【００４３】
振盪機を停止してから１分後、混合物の位相挙動を、乳化作用の程度として以下のスキーマに従って量的に評価した。
【００４４】
０＝乳化作用無し
１＝最小の乳化作用
２＝良好な乳化作用
３＝非常に良好な乳化作用
表１は、使用した乳化剤のリストを含み、表２〜６は、様々な作用媒体と各潤滑剤混合物の乳化試験の結果を示す。
【００４５】
【表１】
0006549587.tif 000002
【００４６】
【表２】
0006549587.tif 000003
【００４７】
【表３】
0006549587.tif 000004
【００４８】
【表４】
0006549587.tif 000005
【００４９】
【表５】
0006549587.tif 000006
【００５０】
【表６】
0006549587.tif 000007
【００５１】
熱安定性を測定するためのオートクレーブ試験
充填容量３００ｍｌの圧力オートクレーブに、それぞれ６０グラム（４０重量％）の潤滑剤と９０グラム（６０重量％）の作動媒体とからなる混合物を入れた。潤滑剤として、４０℃で１５０ｍｍ２／ｓの粘度を有するＰＡＯベースの潤滑剤混合物の他に、２つの鉱物油変異体も調査した。上澄みの雰囲気を取り除くために、特に、酸素を取り除くために、オートクレーブを３０秒間５００ｍｂａｒの圧力で真空化し、続いて、攪拌器を用いて磁気により誘発される攪拌の下で２５０℃に加熱した。
【００５２】
２５０℃で２８日後に、調査を終了した。オートクレーブを２０℃に冷却後、分液漏斗へ内容物を移した。２時間の静置後、再分離された位相を分け離し、潤滑剤と作動媒体とを個別に酸性化について調査した。酸価を、ＤＩＮ  ＩＳＯ  ６６１８に準拠して測定した。表７〜９は、オートクレーブ試験の結果を示す。
【００５３】
【表７】
0006549587.tif 000008
【００５４】
【表８】
0006549587.tif 000009
【００５５】
【表９】
0006549587.tif 000010